(57)【要約】【課題】簡単な冷却構造でケーシング内の放電ランプと反射鏡を冷却し、同時に、光ファイバーの端部をも冷却でき、しかも、放電ランプから放射された光を効率よく利用できる光照射装置を提供することにある。【解決手段】本発明の光照射装置は、ケーシング１内に放電ランプ２と反射鏡３が配置され、放電ランプ２から放射された光を反射鏡３によってケーシング１外に配置された光ファイバー４の端部４ａに集光する光照射装置において、ケーシング１には、放電ランプ２と反射鏡３を冷却するための冷却風が流入する冷却風流入開口１１と、反射鏡３によって反射された光を通し光ファイバー４の端部４ａに向けてケーシング１内の冷却風を吹き付けるための冷却風流出開口１２を有していることを特徴とする。【選択図】　　図１
2004111147.tif 000002
【特許請求の範囲】
【請求項１】
ケーシング内に放電ランプと反射鏡が配置され、当該放電ランプから放射された光を反射鏡によってケーシング外に配置された光ファイバーの端部に集光する光照射装置において、
前記ケーシングには、ケーシング内の放電ランプと反射鏡を冷却するための冷却風が流入する冷却風流入開口と、前記反射鏡によって反射された光を通し光ファイバーの端部に向けてケーシング内の冷却風を吹き付けるための冷却風流出開口を有していることを特徴とする光照射装置。
【請求項２】
前記ケーシングには、前記冷却風流出開口から噴出された冷却風を光ファイバーの端部に向けて導く導風路が形成されていることを特徴とする請求項１に記載の光照射装置。
【発明の詳細な説明】
【０００１】
【発明の属する技術分野】
本発明は、光ファイバーの一端部に光を照射し光ファイバーの他端から光を出射して、ハンダ付けやキュア等の光照射処理を行うための光照射装置に関するものである。
【０００２】
【従来の技術】
従来からハンダ付けやキュア等の光照射処理を行うために放電ランプから発生した光を利用する光照射装置が知られている。
図３は、光ファイバーが取り付けられた筐体に、従来の光照射装置が組み込まれた説明図である。
この光照射装置Ｃは、耐熱性のケーシング１内に、封入物としてキセノンが発光管内に封入された放電ランプ２と、この放電ランプ２から放射された光を集光するための反射鏡３が配置され、反射鏡３によって集光された光をケーシング１外の光ファイバー４の端部に導くようになっていた。
【０００３】
光ファイバー４は、ケーシング１とは別体の筐体６に取り付けられており、光照射装置Ｃは筐体６に対して取り外し可能な状態で組み込まれている。
【０００４】
これは、光照射装置を構成するランプの種類を種々変えた光照射装置を作っておき、用途により光ファイバー４から出射される光の強度を変える必要がでた場合には、その要求に見合った光出力を出すことができる光照射装置に取り替えることにより、自在に光ファイバー４から出射される光の強度を変更するものである。
【０００５】
光照射装置Ｃに戻り説明を続けると、光照射装置Ｃは、ケーシング１内の放電ランプ２及び反射鏡３を冷却するために不図示の冷却ファンによって発生した冷却風をケーシング１内に導入するための冷却風流入開口１１がケーシング１に形成されて、放電ランプ２及び反射鏡３を冷却した冷却風をケーシング１外に排出するための冷却風流出開口１２がケーシング１に形成されている。
【０００６】
また、ケーシング１には、反射鏡３によって集光さえた光をケーシング１外に取り出すために開口が形成され、この開口を塞ぐように光透過性のガラスよりなる光取出し窓５が嵌め込まれている。
【０００７】
光取出し窓５を設ける理由は、光を取り出すため以外に、ケーシング１内の冷却風が開口から抜けることを防止し、ケーシング１内の冷却風の流れを所定の方向に向け、効率良く放電ランプ２と反射鏡３を冷却するためでもある。
【０００８】
一方、光ファイバー４の端部４ａは光が集光するために高温になり、異常に高温になると光ファイバー４の外皮である樹脂製の被覆が溶け出すために、冷却部材７によって光ファイバー４の端部４ａ側を接触した状態で保持し、この冷却部材７に不図示の冷却ファンによって発生した冷却風を吹き付け、光ファイバー４の端部４ａの温度上昇を抑制していた。
【０００９】
【発明が解決しようとする課題】
このような光照射装置によれば、ケーシング１内の放電ランプ２と反射鏡３を冷却するための冷却ファンと、光ファイバー４の端部側を冷却する冷却ファンが２種類必要になり、冷却構造が複雑になるという問題があった。
【００１０】
また、ガラス製の光取出し窓５は、温度が高くなると赤外線領域の光の透過率が落ち、放電ランプ２から放射された光の一部がこの光取出し窓５で吸収されることになり、効率良く放電ランプ２から放射される光を利用することができなかった。
【００１１】
本発明は、上記事情に基づいてなされたものであり、その目的は、簡単な冷却構造でケーシング内の放電ランプと反射鏡を冷却し、同時に、光ファイバーの端部をも冷却でき、しかも、放電ランプから放射された光を効率よく利用できる光照射装置を提供することにある。
【００１２】
【課題を解決するための手段】
請求項１に記載の光照射装置は、ケーシング内に放電ランプと反射鏡が配置され、当該放電ランプから放射された光を反射鏡によってケーシング外に配置された光ファイバーの端部に集光する光照射装置において、前記ケーシングには、ケーシング内の放電ランプと反射鏡を冷却するための冷却風が流入する冷却風流入開口と、前記反射鏡によって反射された光を通し光ファイバーの端部に向けてケーシング内の冷却風を吹き付けるための冷却風流出開口を有していることを特徴とする。
【００１３】
請求項２に記載の光照射装置は、請求項１に記載の光照射装置であって、特に、前記ケーシングには、前記冷却風流出開口から噴出された冷却風を光ファイバーの端部に向けて導く導風路が形成されていることを特徴とする。
【００１４】
【発明の実施の形態】
図１は、光ファイバーが取り付けられた筐体に本発明の光照射装置が組み込まれた状態の説明図である。
光照射装置Ａは、ケーシング１内に、放電ランプ２と、この放電ランプ２から放射された光を集光するための反射鏡３を組み込んだである。
【００１５】
放電ランプ２は、発光管内に封入物としてキセノンが封入されたものであり、例えば、定格２３．５Ｖ、１ｋＷの両端封止型の放電ランプである。
【００１６】
反射鏡３は、放電ランプ２から放射された光を光ファイバー４の端部４ａに集光させるための集光反射鏡３ａと、放電ランプ２から放射された光であって集光反射鏡３ａから外れた光を捕らえて集光反射鏡３ａに戻す球面状の捕捉反射鏡３ｂとからなる。
【００１７】
そして、ケーシング１には反射鏡３によって集光された光をケーシング１外に出射するための開口が形成されており、この開口から出射された光は光ファイバー４の端部４ａに集光して照射される。この開口は、後述する冷却風流出開口１２である。
【００１８】
また、ケーシング１には、ケーシング１内の放電ランプ２と反射鏡３を冷却するための冷却風が流入するための冷却風流入開口１１が形成され、この冷却風流入開口１１から不図示の冷却ファンによって発生した冷却風がケーシング１内に流入するものである。
さらに、ケーシング１には、放電ランプ２及び反射鏡３を冷却した冷却風をケーシング１外に排出するための冷却風流出開口１２が形成されている。
この流出開口１２は、前述した反射鏡３で集光された光が通る開口であり、光ファイバー４の端部４ａと対向する位置に形成されている。
【００１９】
この流出開口１２から流出した冷却風は、光ファイバー４の端部４ａに吹き付けられ、光ファイバー４の端部４ａの温度上昇を抑制することができ、しかも、ケーシング１内の放電ランプ２と反射鏡３を冷却した冷却風をそのまま光ファイバー４の端部４ａの冷却に利用するものである。従来では、光ファイバー４の端部４ａを冷却するために別の冷却ファンを利用していたが、そのような冷却ファンが不要となり、共通する１つの冷却ファンで放電ランプ２と反射鏡３と光ファイバー４を冷却することができ、冷却構造が簡素化えきる。
【００２０】
また、光照射装置Ａは、ケーシング１から光を取り出す開口である冷却風流出開口１２には、従来の光照射装置のようなガラス製の窓部材が嵌め込まれていないので、従来、窓部材の温度が上がると赤外線領域の光の透過率が落ちるという問題があったが、本発明の光照射装置Ａでは、窓部材がなく反射鏡３と光ファイバー４の端部４ａとの間で光を吸収する部材がないので、効率よく放電ランプ２から放射される光を利用することができる。
【００２１】
さらには、光ファイバー４の端部４ａに向けて冷却風が吹き付けられているので、筐体６内の冷却風流出開口１２と光ファイバー４の端部４ａとの間の空間に塵等のゴミが存在しても、冷却風によって吹き飛ばされるので、ゴミが光ファイバー４の端部４ａに付着して焼き付くことを防止することができる。
【００２２】
図２は、光ファイバーが取り付けられた筐体に本発明の他の光照射装置が組み込まれた状態の説明図である。なお、図１と同一符号は同一部分を示すため説明は省略する。
光照射装置Ｂは、ケーシング１に冷却風流出開口１２から噴出された冷却風を光ファイバー４の端部４ａに向けて導く導風路１３が形成されている。
【００２３】
この導風路１３は、円筒状のものであり、冷却風流出開口１２から光ファイバー４の端部４ａに向かうにつれて内径が小さくなっている。この結果、導風路１３の光ファイバー４の端部４ａ近傍で冷却風の流速を早めることができ、光ファイバー４の端部４ａの冷却効率を高めることができる。
なお、図２では導風路１３はケーシング１に直接取り付けられているが、必ずしも導風路１３はケーシング１に取り付けられている必要はなく、冷却風流出開口１２と光ファイバー４の端部４ａとの間に設けられていればよい。
【００２４】
さらに、図１の光照射装置Ａでは、冷却風流出開口１２と光ファイバー４の端部４ａとが離間しているために、冷却ファンの性能が、冷却風流出開口１２から噴出された冷却風が光ファイバー４の端部４ａに冷却できる流量をもった状態で吹き付けられる程度のものが必要となるが、光照射装置Ｂでは、冷却風流出開口１２と光ファイバー４の端部４ａとの間に導風路１３が形成されているため、冷却風流出開口１２から噴出された冷却風は拡散せずしかも光ファイバー４の端部４ａに向けて集められるような構造であるので、光照射装置Ａで用いられる冷却ファンの性能より低い性能の冷却ファンでもよく冷却ファンの選択に自由度が増すという効果がある。
【００２５】
また、冷却風流出開口１２と光ファイバー４の端部４ａとの間に導風路１３が形成されているので、筐体６内の冷却風流出開口１２と光ファイバー４の端部４ａとの間の空間に塵等のゴミがあっても導風路１３によって囲まれている空間にはゴミが入り込み難くなるので、ゴミが光ファイバー４の端部４ａに付着して焼き付くことを確実に防止することができる。
【００２６】
【発明の効果】
本発明の光照射装置によれば、ケーシング内の放電ランプと反射鏡を冷却した冷却風をそのまま光ファイバーの端部の冷却に利用するものであるので、光ファイバーの端部を冷却するための別途の冷却ファンが不要になり、共通する１つの冷却ファンによって放電ランプと反射鏡と光ファイバーを冷却することができ、冷却構造を簡素化できる。
【００２７】
さらに、ケーシングに冷却風流出開口から噴出された冷却風を光ファイバーの端部に向けて導く導風路が形成されているので、この導風路によって、光ファイバーの端部近傍で冷却風の流速を早めることができ、光ファイバーの端部の冷却効率を高めることができる。
【図面の簡単な説明】
【図１】光ファイバーが取り付けられた筐体に本発明の光照射装置が組み込まれた状態の説明図である。
【図２】光ファイバーが取り付けられた筐体に本発明の他の光照射装置が組み込まれた状態の説明図である。
【図３】光ファイバーが取り付けられた筐体に従来の光照射装置が組み込まれた状態の説明図である。
【符号の説明】
１　　　ケーシング
１１　　冷却風流入口
１２　　冷却風流出口
１３　　導風路
２　　　放電ランプ
３　　　反射鏡
４　　　光ファイバー
４ａ　　光ファイバーの端部
５　　　光取出し窓
６　　　筐体
【図１】
2004111147.tif 000003
【図２】
2004111147.tif 000004
【図３】
2004111147.tif 000005